(57)【要約】【課題】  服薬情報コードや服薬プログラムなどの複雑なシステムを用いずに、薬の飲み忘れや飲み間違いの防止が可能な服薬管理装置を実現する。【解決手段】  服薬管理装置は、服薬対象の画像を撮影する撮影手段と、前記画像を記憶する記憶手段と、前記記憶手段に記憶された画像を表示する表示手段を備えた服薬管理装置であって、前記服薬管理装置は、前記撮影手段により撮影した画像データと所定の情報を関連付けて前記記憶手段に記憶することを指示する指示手段を備え、前記記憶手段は、前記指示手段の指示により、前記撮影手段により撮影した画像データと所定の情報を関連付けて記憶し、前記表示手段は、前記記憶手段に記憶された前記画像データと前記所定の情報を合わせて表示することを特徴とする。【選択図】図５
2015195951.tif 000002
【特許請求の範囲】
【請求項１】
服薬対象の画像を撮影する撮影手段と、
前記画像を記憶する記憶手段と、
前記記憶手段に記憶された画像を表示する表示手段を備えた服薬管理装置であって、
前記服薬管理装置は、前記撮影手段により撮影した画像データと所定の情報を関連付けて前記記憶手段に記憶することを指示する指示手段を備え、
前記記憶手段は、前記指示手段の指示により、前記撮影手段により撮影した画像データと所定の情報を関連付けて記憶し、
前記表示手段は、前記記憶手段に記憶された前記画像データと前記所定の情報を合わせて表示することを特徴とする服薬管理装置。
【請求項２】
前記指示手段は、前記画像の一部を指定して前記所定の情報と関連付けて前記記憶手段に記憶することを指示し、
前記記憶手段は、前記指示手段の指示により、前記撮影手段により撮影した画像データの一部と前記所定の情報を関連付けて記憶し、
前記表示手段は、前記記憶手段に記憶された前記画像データの一部と前記所定の情報を合わせて表示することを特徴とする請求項１記載の服薬管理装置。
【請求項３】
前記所定の情報は、少なくとも服薬タイミング、服薬量、服薬履歴のいずれかを含むことを特徴とする請求項１または２記載の服薬管理装置。
【請求項４】
前記服薬管理装置は、計時手段を備え、
前記計時手段と前記所定の情報に基づいて、服薬タイミングを報知する報知手段を備えることを特徴とする請求項１から３のいずれかに記載の服薬管理装置。
【請求項５】
服薬対象の画像を撮影する撮影ステップと、
前記画像を記憶する記憶ステップと、
前記記憶手段に記憶された画像を表示する表示ステップを備えた服薬管理方法であって、
前記服薬管理方法は、前記撮影ステップにより撮影した画像データと所定の情報を関連付けて記憶することを指示する指示ステップを備え、
前記記憶ステップは、前記指示ステップの指示により、前記撮影ステップにより撮影した画像データと所定の情報を関連付けて記憶し、
前記表示ステップは、前記記憶ステップに記憶された前記画像データと前記所定の情報を合わせて表示することを特徴とする服薬管理方法。
【請求項６】
コンピュータに
服薬対象の画像を撮影する撮影ステップと、
前記画像を記憶する記憶ステップと、
前記記憶手段に記憶された画像を表示する表示ステップを備えた服薬管理方法を実行させる服薬管理プログラムであって、
前記服薬管理方法は、前記撮影ステップにより撮影した画像データと所定の情報を関連付けて記憶することを指示する指示ステップを備え、
前記記憶ステップは、前記指示ステップの指示により、前記撮影ステップにより撮影した画像データと所定の情報を関連付けて記憶し、
前記表示ステップは、前記記憶ステップに記憶された前記画像データと前記所定の情報を合わせて表示することを特徴とする服薬管理プログラム。
【発明の詳細な説明】
【技術分野】
【０００１】
本発明は、調剤薬、市販薬、あるいは治験薬に関する服薬の飲み忘れや飲み間違いを防止するための服薬管理に関するものである。
【背景技術】
【０００２】
高齢化が急速に進行している現代社会では、病院や老人ホーム、自宅で慢性疾患を抱えながら生活している高齢者は年々増加している。また、特に独居老人において、毎日の定時服薬についても、服薬忘れ、重複服薬等の服薬誤りが多く発生しており、的確な服薬指示の対策が必要である。
【０００３】
図１７は特許文献１に示された高齢者支援機能付きフォトフレーム装置の斜視図である。この装置は、写真１７０又は電子データの写真が掲示可能で、時計１７１を内臓しており、服薬時間になったことを服薬表示ランプ１７２や音声メッセージでスピーカ１７３から知らせ、服薬忘れを防止する装置である。
【０００４】
また、図１８は、特許文献２に示された服薬アラームシステムの構成概略図である。この服薬アラームシステムは、患者（Ａ）の携帯情報端末１８０と管理サーバ１８１とがネットワークを介して接続され、調剤薬局等で発行された指導箋１８２に掲載されている服薬情報コード１８３を携帯情報端末１８０内蔵のコード読取装置により読み取り、管理サーバー１８１から服薬情報コード１８３に対応した服薬プログラムをダウンロードし、そのプログラムによって服薬をアラーム告知するシステムである。
【先行技術文献】
【特許文献】
【０００５】
【特許文献１】特開２０１２−６６０４０号公報
【特許文献２】特開２００９−１２５３８６号公報
【発明の概要】
【発明が解決しようとする課題】
【０００６】
しかしながら、特許文献１の高齢者支援機能付きフォトフレーム装置においては、服薬タイミングを管理することはできるが、薬の飲み方に関して、どの薬をいつ飲むかといった情報を提供することができないため、飲み間違いが発生するおそれがある。
【０００７】
また、特許文献２の服薬アラームシステムにおいては、調剤薬局等での服薬情報コードの発行や、管理サーバーからの服薬プログラムのダウンロードなど、システムの維持にコストがかかる。また、患者の携帯情報端末がネットワークで管理サーバーと接続されている必要があった。
【０００８】
本発明は、上記問題を鑑みてなされたものであり、服薬情報コードや服薬プログラムなどの複雑なシステムを用いずに、薬の飲み忘れや飲み間違いの防止を目的とする。
【課題を解決するための手段】
【０００９】
本発明に係る服薬管理装置は、服薬対象の画像を撮影する撮影手段と、画像を記憶する記憶手段と、記憶手段に記憶された画像を表示する表示手段を備えた服薬管理装置であって、該服薬管理装置は、撮影手段により撮影した画像データと所定の情報を関連付けて記憶手段に記憶することを指示する指示手段を備え、記憶手段は、指示手段の指示により、撮影手段により撮影した画像データと所定の情報を関連付けて記憶し、表示手段は、記憶手段に記憶された画像データと所定の情報を合わせて表示することを特徴とする。
【００１０】
また、上記指示手段は、画像の一部を指定して所定の情報と関連付けて記憶手段に記憶することを指示し、記憶手段は、指示手段の指示により、撮影手段により撮影した画像データの一部と所定の情報を関連付けて記憶し、表示手段は、記憶手段に記憶された画像データの一部と所定の情報を合わせて表示することを特徴としてもよい。
【００１１】
また、上記所定の情報は、少なくとも服薬タイミング、服薬量、服薬履歴のいずれかを含むことを特徴としてもよい。
【００１２】
また、上記服薬管理装置は、計時手段を備え、計時手段と所定の情報に基づいて、服薬タイミングを報知する報知手段を備えることを特徴としてもよい。
【００１３】
本発明に係る服薬管理方法は、服薬対象の画像を撮影する撮影ステップと、画像を記憶する記憶ステップと、記憶手段に記憶された画像を表示する表示ステップを備えた服薬管理方法であって、服薬管理方法は、撮影ステップにより撮影した画像データと所定の情報を関連付けて記憶することを指示する指示ステップを備え、記憶ステップは、指示ステップの指示により、撮影ステップにより撮影した画像データと所定の情報を関連付けて記憶し、表示ステップは、記憶ステップに記憶された画像データと所定の情報を合わせて表示することを特徴とする。
【００１４】
本発明に係る服薬管理プログラムは、コンピュータに、服薬対象の画像を撮影する撮影ステップと、画像を記憶する記憶ステップと、記憶手段に記憶された画像を表示する表示ステップを備えた服薬管理方法を実行させる服薬管理プログラムであって、服薬管理方法は、撮影ステップにより撮影した画像データと所定の情報を関連付けて記憶することを指示する指示ステップを備え、記憶ステップは、指示ステップの指示により、撮影ステップにより撮影した画像データと所定の情報を関連付けて記憶し、表示ステップは、記憶ステップに記憶された画像データと所定の情報を合わせて表示することを特徴とする。
【発明の効果】
【００１５】
本発明によれば、服薬情報コードや服薬プログラムなどの複雑なシステムを用いずに、薬の飲み忘れや飲み間違いの防止が可能となる。
【図面の簡単な説明】
【００１６】
【図１】実施形態１に係る服薬管理装置１の概略図である。
【図２】実施形態１に係る服薬管理装置１の構成を示すブロック図である。
【図３】実施形態１に係る服薬管理装置１のスタート画面３１の一例を示す図である。
【図４】実施形態１に係るタッチパネルディスプレイ３に表示された「お薬の撮影」ボタン５０１が押された時の表示画面である。
【図５】実施形態１に係る薬の飲む時間を設定する薬の切り取り画面の一例を示す図である。
【図６】実施形態１に係る薬の飲む時間を設定する薬の切り取り画面の一例を示す図である。
【図７】実施形態１に係る服薬記録を行う服薬記録画面の一例を示す図である。
【図８】実施形態１に係る画面遷移を説明する図である。
【図９】実施形態１に係る記憶部１０２に記憶された服薬設定情報１０４の一例を示す図である。
【図１０】実施形態１に係る服薬履歴情報１０５の一例を示す図である。
【図１１】実施形態２に係る服薬管理装置１ａの構成を示すブロック図である。
【図１２】実施形態２に係る薬の飲む時刻を設定する薬の切り取り画面の一例を示す図である。
【図１３】実施形態３に係るタッチパネルディスプレイ３に表示された「お薬の撮影」ボタン５０１が押された時の表示画面である。
【図１４】実施形態３に係る薬の飲む時間を設定する画面の一例を示す図である。
【図１５】その他の実施形態に係る薬の飲む時間を設定する薬の切り取り画面の一例を示す図である。
【図１６】その他の実施形態に係る服薬記録を行う服薬記録画面の一例を示す図である。
【図１７】特許文献１に示された高齢者支援機能付きフォトフレーム装置の斜視図である。
【図１８】特許文献２に示された服薬アラームシステムの構成概略図である。
【発明を実施するための形態】
【００１７】
以下、本発明の実施形態に係る服薬管理装置について図面を参照して説明する。以下の実施形態の説明においては、図中の同一または相当部分には同一符号を付して、その説明は繰り返さない。
【００１８】
＜実施形態１＞
図１は、本発明の一実施形態である服薬管理装置１の概略図である。服薬管理装置本体５には、背面にカメラ２、表面にタッチディスプレイ３を備えている。タッチディスプレイ３は画像表示を行うとともに座標入力機能も備えており、画面を指で触ってあるいはタッチペン４を用いて座標入力を行うことができる。これ以外にもマウス、キーボード等の入力方法であっても構わない。
【００１９】
図２は、本発明に係る服薬管理装置１の構成を示すブロック図である。カメラ２に入力された画像は、カメラ制御部２０１に入力される。タッチディスプレイ３は、座標入力を行うタブレット３０１と表示を行うディスプレイ３０３とに分けられる。タブレット３０１は入力処理部３０２に接続される。ディスプレイ３０３は表示処理部３０４に接続される。
【００２０】
制御部１００は、ＣＰＵ（Ｃｅｎｔｒａｌ  Ｐｒｏｃｅｓｓｉｎｇ  Ｕｎｉｔ）を用い、記憶部１０２に記憶されている服薬処理用プログラム１Ｐを一時記憶部１０１に読み出して実行する。
【００２１】
一時記憶部１０１にはＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）などのＲＡＭを用いる。一時記憶部１０１には、上述のように読み出される服薬管理用プログラム１Ｐが記憶されると共に、制御部１００の処理によって発生する情報が記憶される。
【００２２】
記憶部１０２はハードディスク、又はＳＳＤ（Ｓｏｌｉｄ  Ｓｔａｔｅ  Ｄｒｉｖｅ）などの外部装置を用いる。記憶部１０２には、服薬処理用プログラム１Ｐが記憶されている。他に、服薬管理装置１における他のアプリケーションソフトウェアプログラムが記憶されていてもよいのは勿論である。また、記憶部１０２には、カメラ２から入力された画像データ１０３、いつ薬を飲むかといった服薬タイミングに関する服薬設定情報１０４、いつ薬を飲んだかを記録する服薬履歴情報１０５も記憶されている。
【００２３】
図３は、本実施形態に係る服薬管理装置１のスタート画面３１の一例を示す図である。使用者が指またはタッチペン４を用いて、タッチディスプレイ３に表示された「お薬の撮影」ボタン５０１あるいは「服薬の記録」ボタン５０２を押すことにより、服薬管理に関する動作が開始される。
【００２４】
図４は、図３におけるタッチパネルディスプレイ３に表示された「お薬の撮影」ボタン５０１が押された時の表示画面である。使用者が服薬管理装置１のカメラ２を服薬対象の薬群に向けて「お薬の撮影」ボタン５０１を押すと、図４に示すような薬の写真撮影画面３２が表示される。写真撮影画面３２の左側の領域５１０は、本発明の服薬処理装置１の背面のカメラ２で入力される画像がリアルタイムで表示される。この画像を見ながら、服薬対象の薬群が領域５１０の中に表示されるようにし、「撮影」ボタン５１１を押せば、服薬対象の薬群の画像が撮影される。一方、図４で「戻る」ボタン５１２を押せば、写真撮影を中止し、図３のスタート画面３１に戻る。
【００２５】
図５は、薬の飲む時間（服薬タイミング）を設定する薬の切り取り画面３４の一例を示す図である。薬群の画像を撮影したあと、薬の画像の一部を切り取り、その薬を飲む時間を設定する。画面左側の領域５２０には、カメラ２で撮影した薬群の画像が表示されている。画面の右側５２１の領域には、薬をのむ時間「朝：食前」「朝：食後」「朝：食間」「昼：食前」「昼：食後」「昼：食間」「夕：食前」「夕：食後」「就寝前」を設定する各ボタンが配置されている。
【００２６】
ここで、カプセル５２２を食前に服用すべき場合の例を説明する。使用者は、カプセル５２２の周囲を指またはタッチペン４を用いて囲み、「朝：食前」ボタン５２３をタッチする。この後、「設定する」ボタン５２９を押せば、タッチペン４で囲んだカプセル５２２が、朝食前に飲む薬として、記憶部１０２にある服薬設定情報１０４に記録される。一方、図５の状態から、「戻る」ボタン５２８を押せば、図３のスタート画面に戻る。
【００２７】
次に、錠剤６０１、６０２を朝食、昼食、夕食の各食後に服用すべき場合の例を説明する。
【００２８】
図６は、薬の飲む時間を設定する薬の切り取り画面３４の一例を示す図である。薬の画像を撮影したあと、薬の画像の一部を切り取り、その薬を飲む時間を設定する。画面左側の領域５２０には、カメラ２で撮影した薬の画像が表示されている。画面の右側５２１の領域には、薬をのむ時間「朝：食前」「朝：食後」「朝：食間」「昼：食前」「昼：食後」「昼：食間」「夕：食前」「夕：食後」「就寝前」を設定する各ボタンが配置されている。
【００２９】
ここで、錠剤６０１、６０２を朝食、昼食、夕食の各食後に服用すべき場合、使用者は、錠剤６０１、６０２の周囲を指またはタッチペン４を用いて囲み、「朝：食後」ボタン６０３、「昼：食後」ボタン６０４、「夕：食後」ボタン６０５をタッチする。この後、「設定する」ボタン５２９を押せば、指またはタッチペン４で囲んだ錠剤６０１、６０２が、朝食、昼食、夕食の各食後に飲む薬として、記憶部１０２にある服薬情報１０４に記録される。一方、図６の状態から、「戻る」ボタン５２８を押せば、図３のスタート画面に戻る。
【００３０】
図７は、本実施形態に係る服薬記録を行う服薬記録画面の一例を示す図である。図３のスタート画面３１において、「服薬の記録」ボタン５０２を押すと、図７に示された服薬記録画面３３が表示される。画面には、薬を飲む時間「朝：食前」「朝：食後」「朝：食間」「昼：食前」「昼：食後」「昼：食間」「夕：食前」「夕：食後」「就寝前」に対応した９個のボックスが表示されており、図５及び図６を用いて説明した薬の設定状態が示されている。具体的には、「朝：食前」ボックス７０１、「朝：食後」ボックス７０２、「昼：食後」ボックス７０３、「夕：食後」ボックス７０４の中に、写真を囲んで切り取った画像がそれぞれ表示される。画像が表示されているか、表示されていないかによって、一日のうち、どのタイミングで薬を飲むかが簡単にわかる。また、飲む薬の写真が表示されるためわかりやすい。しかも、その写真は自分で撮影したものであるため、入力する意識や、服薬時間を守る意識が高くなる効果が期待できる。
【００３１】
図７において、マーク７０５、７０６は、その箱の薬を飲んだというチェックを示すマークである。「朝：食前」ボックス７０１に表示されたマーク７０５は、「朝：食前」ボックス７０１をタッチすると表示され、もう一度「朝：食前」ボックス７０１をタッチすると消える。これは、他のボックスについても同様である。図７に示した例では、「朝：食前」の薬と「朝：食後」の薬を飲んだことを入力した状態を示している。このように表示することで、飲んだ薬の入力の際に、次にどのタイミングでどの種類の薬を飲むべきかが使用者にわかり、服薬タイミングへの注意喚起も行うことができる。
【００３２】
また、画面３の右上には、今日の日付７０７が表示されている。この日付を変更する方法は、７０７の領域をタッチするとカレンダーが表示され、その中から日付を選ぶといった、各種の従来技術を利用する。また、１週間、あるいは１カ月ごとにカレンダーの表示に合わせて、日付ごとにその日に飲むべき薬の画像、あるいはその日に飲んだ薬の画像が表示されるようにしても構わない。画面３右下の「戻る」ボタン７０９を押すと、図３のスタート画面に戻る。
【００３３】
図８は、本実施形態に係る画面遷移を説明する図である。図３に示したスタート画面３１において、「お薬の撮影」ボタン５０１を押すと薬の写真撮影画面３２に移る。一方、「服薬の記録」ボタン５０２を押すと服薬記録画面３３に移る。
【００３４】
図４で説明した薬の写真撮影画面３２は、撮影ボタン５１１を押すと、薬の切り取り画面３４に移る。一方、薬の写真撮影画面３２において、戻るボタン５１２を押すとスタート画面３１に戻る。
【００３５】
また、図５、図６で説明した薬の切り取り画面３４において、撮影した薬群のうち、服薬対象の薬の切り取り画像を指またはタッチペン４で囲み、薬を飲む時間をタッチして、「設定する」ボタン５２９を押すと、服薬対象の薬と飲むべき時間が設定され、スタート画面３１に戻る。一方、薬の切り取り画面３４において、「戻る」ボタン５２８だけを押した場合は、何も設定を行わずにスタート画面３１に戻る。図７で説明した服薬記録画面３３は、戻るボタン７０９を押すとスタート画面３１に戻る。
【００３６】
図９に、本実施形態における記憶部１０２に記憶された服薬設定情報１０４の一例を示す。この情報は、図５、図６で説明した薬の画像の切り取りと、それに対応する服薬時間の設定を行ったときに記録される情報の一例を表形式で示したものである。データ９０１は、全服薬タイミングを記録したデータである。本実施形態においては、「朝：食前」「朝：食後」「朝：食間」「昼：食前」「昼：食後」「昼：食間」「夕：食前」「夕：食後」「就寝前」の９種類の服薬タイミングをもっている。各服薬タイミングをそれぞれビット情報であらわせば、９ビットの情報があれば、全ての服薬タイミングを表現できる。たとえば、「朝：食前」を１、「朝：食後」を２、「朝：食間」を４、「昼：食前」を８、「昼：食後」を１６、「昼：食間」を３２、「夕：食前」を６４、「夕：食後」を１２８、「就寝前」を２５６とし、それぞれの数値の和で、服薬タイミングを表現できる。データ９０１は、これらのビット情報を記憶する。
【００３７】
服薬設定情報１０４におけるデータ９０２、９０３は１つめの薬の情報である。図５で説明したように、本発明ではカメラで撮影した画像の中から薬の周囲をペンで囲み、その薬を飲むタイミングをボタンで設定する。その作業を何回も繰り返せば、薬を切り出した複数の画像と複数のタイミングが生じる。その１つめの薬の情報を記録したのが図９のデータ９０２、９０３である。データ９０２は、１つめの薬の服薬タイミングをビットであらわした情報である。
【００３８】
図５に示した例では、カプセルを「朝：食前」に飲むという設定である。この場合は、「朝：食前」を意味するビット情報１をデータ９０２に記憶する。またカプセルの周囲を囲んだ画像を、図２の画像データ１０３に保存し、そのファイル名をデータ９０３に記憶する。
【００３９】
データ９０４、９０５は２つめの薬の情報である。図６に示した例では、錠剤を「朝：食後」「昼：食後」「夕：食後」に飲むという設定である。この場合は、「朝：食後」を意味するビット情報２、「昼：食後」を意味するビット情報１６、「夕：食後」を意味するビット情報１２８の和である、２＋１６＋１２８＝１４６をデータ９０４に記憶する。また錠剤の周囲を囲んだ画像のファイル名をデータ９０４に記憶する。
【００４０】
同様にして、データ９０６以降には、３つめ、４つめの薬の情報が記憶される。もし、３つめ以降の薬の設定がない場合は、これ以上薬が設定されていないという意味の情報０をデータ９０６に記憶する。
【００４１】
図１０に、本実施形態における服薬履歴情報１０５の一例を示す。この情報は、図７で示した服薬の記録を行ったときに記録される情報の一例を表形式で示したものである。
【００４２】
第１列１００１には、日付情報を記憶する。第２列１００２には服薬履歴をビット情報で記憶する。例えば、図７の例では、「朝：食前」「朝：食後」に薬を飲んだ例である。この場合は、「朝：食前」を意味するビット情報１と、「朝：食後」を意味するビット情報２の和である３＝１＋２を記憶する。第３列以降、データ９０１、９０２、９０３、９０４、９０５・・・は、図９で説明した服薬設定情報１０４と同じ内容である。第１列１００１列の日付に対応した服薬設定情報を記憶しておくことで、途中から薬の飲み方が変わった場合、その記録を残しておくことができる。
【００４３】
図１０の情報をもとに、図７の画面を表示する手順を説明する。図１０の服薬履歴情報１０５のうち、第１列１００１の情報が表示したい日付と一致するデータ行を取り出す。取り出した行のうち、データ９０１列以降に、服薬のタイミングと、薬の画像ファイル名が記録されているので、図７の薬をのむ時間に対応したボックスの中に、薬の画像を表示する。また、取り出した行の第２列１００２列が、薬を飲んだか飲まなかったかの情報をビットで記憶しているため、ビット情報がある薬をのむ時間に対応したボックスにマークをつけることができる。
【００４４】
以上説明したように、本発明によれば、カメラ等の撮像手段により、薬の画像を使用者が自ら撮影し、タブレットのような指示手段により、座標入力によって薬の画像を囲むことで、服薬対象の薬を特定し、それをいつ飲むかを指定するため、使用者が撮影して切り取った画像が表示されることで、服薬記録をとる意欲が高まり、薬の飲み忘れや飲み間違いを防ぐことができる。
【００４５】
＜実施形態２＞
次に、実施形態２について説明する。本実施形態では、アラーム機能を備えた服薬管理装置について説明する。なお、本実施形態の説明において、上記実施形態と重複する部分は説明を省略する。
【００４６】
図１１は、本実施形態に係る服薬管理装置１ａの構成を示すブロック図である。服薬管理装置１ａは、実施形態１の構成に加え、計時手段としてのタイマー６及び報知手段の一例としてのアラーム７を備える。
【００４７】
図１２は、本実施形態に係る薬の飲む時刻を設定する画面の一例である。実施形態１と同様薬の写真撮影を行った後、図１２に示すような薬の切り取り画面３４ａに移る。
【００４８】
画面左側の領域５２０には、カメラ２で撮影した薬群の画像が表示されている。画面の右側５２１ａの領域には、薬をのむ時刻「９：００」「１０：００」「１１：００」「１２：００」・・・を設定する各ボタンが配置されている。なお、薬を飲む時刻のボタン表示は本実施形態に限るものでなく、時刻を直接入力する方法などでも構わない。
【００４９】
ここで、カプセル５２２を午前９時に服用すべき場合の例を説明する。使用者は、カプセル５２２の周囲を指またはタッチペン４を用いて囲み、「９：００」ボタン５２３ａをタッチする。この後、「設定する」ボタン５２９を押せば、タッチペン４で囲んだカプセル５２２が、午前９時に飲む薬として、記憶部１０２にある服薬設定情報１０４に記録される。一方、図１２の状態から、「戻る」ボタン５２８を押せば、図３のスタート画面に戻る。
【００５０】
タイマー６は、計時を行い、午前９時になった時点で信号を制御部１００に送る。アラーム７は制御部１００からの信号を受けてアラーム音を発し、使用者に服薬の時刻となったことを報知するとともに、ディスプレイ３０３に切り取ったカプセル５２２の画像の表示を行う。これにより、使用者は、服薬の時間を逃さず、またその時刻にどの薬を飲むべきかを知ることができ、薬の飲み忘れや飲み間違いがなくなる。
【００５１】
なお、報知手段としては、アラーム７等の音声に限られるものではなく、振動やライトの点灯、点滅などでも構わない。
【００５２】
＜実施形態３＞
次に、実施形態３について説明する。本実施形態では、飲むべき薬を個別に撮影して服薬タイミングを設定する例について説明する。
【００５３】
図１３は、タッチパネルディスプレイ３に表示された「お薬の撮影」ボタン５０１が押された時の表示画面である。ここでは、カプセル５２２を食前に服用すべき場合の例を説明する。
【００５４】
使用者が服薬管理装置１の「お薬の撮影」ボタン５０１を押すと、図１３に示すような薬の写真撮影画面３２が表示される。写真撮影画面３２の左側の領域５１０は、本発明の服薬処理装置１の背面のカメラ２で入力される画像がリアルタイムで表示される。この画像を見ながら、服薬対象のカプセル５２２が領域５１０の中に表示されるようにし、「撮影」ボタン５１１を押せば、服薬対象のカプセル５２２の画像が撮影される。一方、図４で「戻る」ボタン５１２を押せば、写真撮影を中止し、図３のスタート画面３１に戻る。
【００５５】
図１４は、薬の飲む時間を設定する画面の一例を示す図である。薬の画像を撮影したあと、その薬を飲む時間を設定する。画面左側の領域５２０には、カメラ２で撮影したカプセル５２２の画像が表示されている。画面の右側５２１の領域には、薬をのむ時間「朝：食前」「朝：食後」「朝：食間」「昼：食前」「昼：食後」「昼：食間」「夕：食前」「夕：食後」「就寝前」を設定する各ボタンが配置されている。使用者は、「朝：食前」ボタン５２３をタッチする。この後、「設定する」ボタン５２９を押せば、カプセル５２２が、朝食前に飲む薬として、記憶部１０２にある服薬設定情報１０４に記録される。一方、図１４の状態から、「戻る」ボタン５２８を押せば、図３のスタート画面に戻る。
【００５６】
次に、錠剤６０１、６０２を朝食、昼食、夕食の各食後に服用すべき場合は、上記と同様に、錠剤６０１、６０２を撮影後、「朝：食後」「昼：食後」「夕：食後」のボタンを連続して押し、最後に「設定する」ボタン５２９を押せば、錠剤６０１、６０２が、朝食、昼食、夕食の各食後に服用すべき薬として、記憶部１０２にある服薬設定情報１０４に記録される。一方、「戻る」ボタン５２８を押せば、図３のスタート画面に戻る。
【００５７】
本実施形態のように、薬を個別に撮影して服薬タイミングを設定することで、「いつ、どの薬を飲むか」がより使用者に認識づけられるという効果がある。
【００５８】
＜その他の実施形態＞
その他の実施形態として、図１５に示すように、服薬タイミングを設定する薬の切り取り画面３４ｂにおいて、薬の残量を入力する残量入力ボタン５２７があってもよい。この場合、図１６の服薬記録画面３３ａに示すように、薬の服薬記録を入力するたびに、薬の残量が表示されるようにする。このような構成とすることで、手元の薬が完全になくなる前に通院の予定等を立てることができ、服薬が途切れることを防止することができる。
【００５９】
以上それぞれの実施形態で説明したように、本発明によれば、服薬情報コードや服薬プログラムなどの複雑なシステムを用いずに、薬の飲み忘れや飲み間違いの防止をすることが可能となる。
【００６０】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【産業上の利用可能性】
【００６１】
本発明に係る服薬管理装置は、調剤薬、市販薬、あるいは治験薬を服薬する患者の服薬管理に対して好適に適用することができる。
【符号の説明】
【００６２】
１、１a  服薬管理装置
２  カメラ
３  タッチディスプレイ
４  タッチペン
５  服薬管理装置本体
６  タイマー
７  アラーム
３１  スタート画面
３２  写真撮影画面
３３、３３ａ  服薬記録画面
３４、３４ａ、３４ｂ  薬の切り取り画面
１００  制御部
１０１  一時記憶部
１０２  記憶部
１０３  画像データ
１０４  服薬設定情報
１０５  服薬履歴情報
２０１  カメラ制御部
３０１  タブレット
３０２  入力処理部
３０３  ディスプレイ
３０４  表示処理部
【図１】
2015195951.tif 000003
【図２】
2015195951.tif 000004
【図３】
2015195951.tif 000005
【図４】
2015195951.tif 000006
【図５】
2015195951.tif 000007
【図６】
2015195951.tif 000008
【図７】
2015195951.tif 000009
【図８】
2015195951.tif 000010
【図９】
2015195951.tif 000011
【図１０】
2015195951.tif 000012
【図１１】
2015195951.tif 000013
【図１２】
2015195951.tif 000014
【図１３】
2015195951.tif 000015
【図１４】
2015195951.tif 000016
【図１５】
2015195951.tif 000017
【図１６】
2015195951.tif 000018
【図１７】
2015195951.tif 000019
【図１８】
2015195951.tif 000020